(57)【要約】【課題】部品点数が少なく、組み立てが容易なテーブルを提供する。【解決手段】中央に開口６を有するように少なくとも３枚の長尺平板２０が組み合わせてなる天板２と、天板２に装着される少なくとも３本の脚３とを備え、長尺平板２０は、表面を厚み方向に切り欠いた表段差部２０ａを長手方向の一端部に、裏面を厚み方向に切り欠いた裏段差部２０ｂを長手方向の他端部にそれぞれ有し、天板２０は、第１の長尺平板２０の表段差部２０ａと、第２の長尺平板２０の裏段差部２０ｂとを厚み方向に重ねた状態で組み合わされている。【選択図】図１
0003209573.tif 000002
【実用新案登録請求の範囲】
【請求項１】
中央に開口を有するように少なくとも３枚の長尺平板が組み合わせてなる天板と、
前記天板に装着される少なくとも３本の脚と
を備え、
前記長尺平板は、表面を厚み方向に切り欠いた表段差部を長手方向の一端部に、裏面を厚み方向に切り欠いた裏段差部を長手方向の他端部にそれぞれ有し、
前記天板は、第１の長尺平板の表段差部と、第２の長尺平板の裏段差部とを厚み方向に重ねた状態で組み合わされている
ことを特徴とするテーブル。
【請求項２】
前記第１の長尺平板の表段差部と、前記第２の長尺平板の裏段差部とは嵌合するように構成されている
請求項１に記載のテーブル。
【請求項３】
前記天板の隅部には、前記脚が固定手段により固定されている
請求項１または２に記載のテーブル。
【請求項４】
前記固定手段は、前記第１の長尺平板と前記第２の長尺平板との重ね部分を貫通し、前記第２の長尺平板の裏面に当接する前記脚を固定する
請求項３に記載のテーブル。
【請求項５】
前記長尺平板は矩形状をし、前記表段差部および前記裏段差部は前記長尺平板の短手方向の寸法を一辺とする平面視正方形状をしている
請求項１〜４のいずれか一項に記載のテーブル。
【請求項６】
前記平面視正方形状の前記表段差部および前記裏段差部の中央に、前記固定手段の貫通孔が形成されている
請求項５に記載のテーブル。
【請求項７】
前記第１の長尺平板の表段差部と、前記第２の長尺平板の裏段差部とを厚み方向に重ねると、前記第１の長尺平板の表面と前記第２の長尺平板の表面とが略面一となるように、前記表段差部及び前記裏段差部が構成されている
請求項１〜６のいずれか一項に記載のテーブル。
【請求項８】
前記各長尺平板は全て同一の大きさである
請求項１〜７のいずれか一項に記載のテーブル。
【請求項９】
前記テーブルは、前記天板の中央の開口に加熱手段を設置できる囲炉裏テーブルである
請求項１〜８のいずれか一項に記載のテーブル。
【請求項１０】
請求項１〜９のいずれか一項に記載のテーブル用の組立キット。
【考案の詳細な説明】
【技術分野】
【０００１】
本考案はテーブルおよびその組立キットに関し、詳しくは囲炉裏テーブルおよびその組立キットに関する。
【背景技術】
【０００２】
囲炉裏テーブルは、天板の開口に七輪やバーベキューグリルを置き、仲間とアウトドアを楽しむためのテーブルである。囲炉裏テーブルとしては、天板と遮蔽板と受け棒とを組み合わせた組み立て式のテーブルが提案されている（例えば、特許文献１）。
【０００３】
しかしながら、特許文献１に記載のテーブルは、部品点数が多く、組み立てが煩雑である。
【先行技術文献】
【特許文献】
【０００４】
【特許文献１】特開２００８−４９０９８号公報
【考案の概要】
【考案が解決しようとする課題】
【０００５】
本考案は、部品点数が少なく、組み立てが容易なテーブルおよびその組立キットを提供することを目的とする。
【課題を解決するための手段】
【０００６】
本考案のテーブルは、中央に開口を有するように少なくとも３枚の長尺平板が組み合わせてなる天板と、前記天板に装着される少なくとも３本の脚とを備え、前記長尺平板は、表面を厚み方向に切り欠いた表段差部を長手方向の一端部に、裏面を厚み方向に切り欠いた裏段差部を長手方向の他端部にそれぞれ有し、前記天板は、第１の長尺平板の表段差部と、第２の長尺平板の裏段差部とを厚み方向に重ねた状態で組み合わされていることを特徴とする。
【考案の効果】
【０００７】
本考案によれば、部品点数が少なく、組み立てが容易である。
【図面の簡単な説明】
【０００８】
【図１】（ａ）は本考案の一態様に係るテーブルを示す斜視図であり、（ｂ）は本考案の一態様に係るテーブルの組み立て状態を示す説明図である。
【図２】（ａ）は本考案の一態様に係るテーブルの天板を示す平面図であり、（ｂ）は本考案の他の態様に係るテーブルの天板を示す平面図である。
【考案を実施するための形態】
【０００９】
＜概要＞
本考案の一態様に係るテーブルは、中央に開口を有するように少なくとも３枚の長尺平板が組み合わせてなる天板と、前記天板に装着される少なくとも３本の脚とを備え、前記長尺平板は、表面を厚み方向に切り欠いた表段差部を長手方向の一端部に、裏面を厚み方向に切り欠いた裏段差部を長手方向の他端部にそれぞれ有し、前記天板は、第１の長尺平板の表段差部と、第２の長尺平板の裏段差部とを厚み方向に重ねた状態で組み合わされていることを特徴としている。
この態様によれば、部品点数が少なく、組み立てが容易である。
【００１０】
他の一態様に係る組立キットは、本考案の一態様に係るテーブル用の組立キットである。
この態様によれば、コンパクトに収納できるため、持ち運びに便利である。
【００１１】
以下、本考案の一態様に係るテーブルについて、図面を参照して説明する。なお、本考案は、以下の実施形態に限定されるものではない。
図１（ａ）は第一の実施形態に係るテーブル１を示す斜視図であり、（ｂ）はテーブル１の組み立て状態を示す説明図である。図２（ａ）は第一の実施形態に係るテーブル１の天板２を示す平面図である。
【００１２】
〔第一の実施形態〕
１．全体構成
図１に示すように、第一の実施形態のテーブル１は、中央に開口６を有するように４枚の長尺平板２０が組み合わせてなる天板２と、天板２に装着される４本の脚３と、天板２に脚３を固定するボルト４及びナット５とを備えている。
【００１３】
２．長尺平板
長尺平板２０は、長手方向の一端部に、表面を厚み方向に切り欠いた表段差部２０ａを有し、長手方向の他端部に裏面を厚み方向に切り欠いた裏段差部２０ｂを有する。長尺平板２０の表段差部２０ａと、この長尺平板２０に隣接する長尺平板２０の裏段差部２０ｂとは嵌合するように構成されている。長尺平板２０の表段差部２０ａと、これに隣接する長尺平板２０の裏段差部２０ｂとを厚み方向に重ねると、長尺平板２０の表面とこれに隣接する長尺平板２０の表面とが略面一となるように、表段差部２０ａ及び裏段差部２０ｂが構成されている。
【００１４】
４枚の長尺平板２０は矩形状をし、全て同一の大きさである。
【００１５】
長尺平板２０の寸法は、長さ（長手方向の寸法）は通常、５００〜１０００ｍｍであり、好ましくは６２０〜９４０ｍｍであり、幅（短手方向の寸法）は通常、１００〜３００ｍｍであり、好ましくは１７０〜２２０ｍｍであり、厚みは通常、６０〜８０ｍｍであり、好ましくは６５〜７５ｍｍである。
【００１６】
表段差部２０ａの寸法は、通常、１００〜３００ｍｍ×１００〜３００ｍｍであり、好ましくは１７０〜２２０ｍｍ×１７０〜２２０ｍｍである。実施形態では、表段差部２０ａは矩形状の長尺平板２０の短手方向（幅方向）の寸法を一辺とする平面視正方形状をしているが、これに限定されず、平面視長方形形状であっても差し支えない。
【００１７】
また、裏段差部２０ｂの寸法は、通常、１００〜３００ｍｍ×１００〜３００ｍｍであり、好ましくは１７０〜２２０ｍｍ×１７０〜２２０ｍｍである。
【００１８】
実施形態では、裏段差部２０ｂは矩形状の長尺平板２０の短手方向（幅方向）の寸法を一辺とする平面視正方形状をしているが、これに限定されず、平面視長方形形状であっても差し支えない。
【００１９】
なお、表段差部２０ａおよび裏段差部２０ｂの寸法は、表段差部２０ａと裏段差部２０ｂとが嵌合するように、両者は同一の寸法であることが好ましい。
【００２０】
長尺平板２０の材質は特に限定はないが、例えば、ラワン合板等を使用することができる。
【００２１】
３．天板
第一の実施形態のテーブル１に係る天板２は、４枚の長尺平板２０の表段差部２０ａと、これに隣接する長尺平板２０の裏段差部２０ｂとが嵌合するように組み合わせて構成されている。具体的には、天板２は、図１（ｂ）に示すように、長尺平板２０の表段差部２０ａと、これに隣接する長尺平板２０の裏段差部２０ｂとを厚み方向にかつ直角に重ねた状態で組み合わされて構成されている。
【００２２】
天板２の大きさは、通常、６００〜１５００ｍｍ×６００〜１５００ｍｍであり、好ましくは６２０〜９４０ｍｍ×６２０〜９４０ｍｍである。実施形態では、天板２は平面視正方形状であるが、これに限定されず、平面視長方形形状であっても差し支えない。
【００２３】
３−１．開口
天板２の中央には、コンロ等の加熱手段を設置できる開口６が形成されている。
【００２４】
開口６の大きさは、通常、３００〜１０００ｍｍ×３００〜１０００ｍｍであり、好ましくは３８０〜５００ｍｍ×３８０〜５００ｍｍである。実施形態では、開口６は平面視正方形状であるが、これに限定されず、平面視長方形形状であっても差し支えない。
【００２５】
４．脚
図１に示すように、天板２の４箇所の隅部には、ボルト４及びナット５により脚３が固定されている。
【００２６】
脚３の寸法は、長さが通常、２００〜１０００ｍｍであり、好ましくは２５０〜３５０ｍｍであり、直径は通常、３０〜１００ｍｍであり、好ましくは４０〜８０ｍｍである。
【００２７】
５．ボルト、ナット（固定手段）
ボルト４は、長尺平板２０の表段差部２０ａと、これに隣接する長尺平板２０の裏段差部２０ｂとの重ね部分を貫通し、裏段差部２０ｂの裏面に当接する脚３を固定している。平面視正方形状の表段差部２０ａおよび裏段差部２０ｂの中央に、ボルト４の貫通孔７が形成されている。
【００２８】
ナット５は、脚３の上部に埋設されているが、埋設されていなくてもよい。
【００２９】
６．加熱手段
加熱手段としては、例えば、コンロ、七輪、バーベキューグリル等があげらえる。
【００３０】
天板２の開口６より上側に火力が出るよう、レンガ等で加熱手段の高さを調整することが好ましい。
【００３１】
〔第二の実施形態〕
１．全体構成
図２（ｂ）は第二の実施形態に係るテーブル１００の天板２００を示す平面図である。
【００３２】
第二の実施形態に係るテーブル１００は、図２（ａ）に示す天板２に代えて、図２（ｂ）に示す天板２００を使用する以外は、第一の実施形態に係るテーブル１と略同様の構成である。
【００３３】
２．天板
天板２００は、４枚の長尺平板２０に、天板延長キットである長尺平板２１を２枚追加した以外は天板２と略同様の構成である。
【００３４】
図２（ｂ）では、天板延長キットである長尺平板２１を区別するため、便宜上斜線を付したが、４枚の長尺平板２０と、２枚の長尺平板２１とは、全て同一の大きさである。
【００３５】
天板２００の４箇所の隅部である長尺平板２０と長尺平板２１との連結は、図１（ｂ）に準じて、ボルト４及びナット５を用いて行うことができる。
【００３６】
また、天板２００の長手方向中央の長尺平板２０と、天板延長キットである長尺平板２１との連結は、長尺平板２０の表段差部２０ａ（図示せず）もしくは裏段差部２０ｂ（図示せず）と、これに隣接する長尺平板２１の裏段差部２０ｂ（図示せず）もしくは表段差部２０ａ（図示せず）とを厚み方向にかつ一直線状に重ねた状態で、ボルト４０を用いて行うことができる。
【００３７】
３．脚
第一の実施形態に係るテーブル１の脚３は４本であるが、第二の実施形態に係るテーブル１００の脚は６本である。天板２００の４箇所の隅部にそれぞれ脚３が取り付けられている他、ボルト４０により２本の脚（図示せず）が取付けられている。
【００３８】
４．開口
天板２００の中央には、平面視長方形形状の開口６０が形成されている。
【００３９】
〔第三の実施形態〕
第三の実施形態に係る組立キットは、第一の実施形態に係るテーブル１や、第二の実施形態に係るテーブル１００の組立キットである。組立キットは、完成品（テーブル１，１００）を組み立てるために部品全てであり、長尺平板２０、脚３、ボルト４、ナット５を含む。
【００４０】
組立キットは、ニスやペンキ等の塗装や、仕上げのペーパー掛けが不要であるため、完成品（テーブル）よりも安価で購入することができる。また、塗装を自由にできるため、自身の感性や好みの雰囲気に仕上げて個性を発揮でき、創る楽しみを味わうこともできる。
【００４１】
また、長尺平板は全て同一の大きさであり、使用人数、使用場所、使用目的等に応じて、長尺平板の組み合わせを変更することにより、天板のサイズを容易に調整できるため、利便性に優れている。
【００４２】
＜変形例＞
以上、一実施形態に係るテーブルを説明したが、本考案はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本考案に含まれる。
【００４３】
１．天板
第一の実施形態に係る天板２は４枚の長尺平板２０を組わせてなり、第二の実施形態に係る天板２００は６枚の長尺平板（４枚の長尺平板２０と、２枚の長尺平板２１）を組わせてなるが、これに限定されず、天板は少なくとも３枚の長尺平板を組み合わせて構成することができる。但し、天板の安定性の点からは、少なくとも４枚の長尺平板を使用することが好ましい。
【００４４】
また、天板は天板延長キットである長尺平板を連結することにより、所望の大きさに調整することができる。
【００４５】
２．脚
第一の実施形態に係る天板２は脚３が４本であり、第二の実施形態に係る天板２００は脚３が６本であるが、これに限定されず、少なくとも３本の脚３を備えていればよい。但し、天板の安定性の点からは、少なくとも４本の脚３を使用することが好ましい。
【００４６】
また、各脚３に延長用の脚を連結することにより、天板の高さを所望の高さに調整することができる。これにより、座卓式の場合には、標準サイズの脚３（図１参照）を使用でき、イスを使用する場合には、延長用の脚を連結して天板の高さを高くでき、用途に応じてテーブルを使用することができるため、便利である。
【００４７】
３．固定手段
実施形態の固定手段はボルト５及びナット６であるが、これに限定されず、釘、接着剤等であってもよい。
【００４８】
４．保護部材
天板２の中央の開口６の縁周部に、アルミ板等の保護部材を設けることにより、天板２の焦げや焼き付き等を予防することができる。
【００４９】
５．天板の開口
天板２の中央の開口６を板部材で塞ぐことにより、通常のテーブルとして使用することもできる。
【符号の説明】
【００５０】
１    テーブル
２    天板
３    脚
４    ボルト
６    開口
２０    長尺平板
２０ａ  表段差部
２０ｂ  裏段差部
【図１】
0003209573.tif 000003
【図２】
0003209573.tif 000004
【手続補正書】
【提出日】平成29年2月2日(2017.2.2)
【手続補正１】
【補正対象書類名】実用新案登録請求の範囲
【補正対象項目名】全文
【補正方法】変更
【補正の内容】
【実用新案登録請求の範囲】
【請求項１】
中央に開口を有するように少なくとも３枚の長尺平板が組み合わせてなる天板と、
前記天板に装着される少なくとも３本の脚と
を備え、
前記長尺平板は、表面を厚み方向に切り欠いた表段差部を長手方向の一端部に、裏面を厚み方向に切り欠いた裏段差部を長手方向の他端部にそれぞれ有し、
前記天板は、第１の長尺平板の表段差部と、第２の長尺平板の裏段差部とを厚み方向に重ねた状態で組み合わされている
ことを特徴とするテーブル。
【請求項２】
前記第１の長尺平板の表段差部と、前記第２の長尺平板の裏段差部とは嵌合するように構成されている
請求項１に記載のテーブル。
【請求項３】
前記天板の隅部には、前記脚が固定手段により固定されている
請求項１または２に記載のテーブル。
【請求項４】
前記固定手段は、前記第１の長尺平板と前記第２の長尺平板との重ね部分を貫通し、前記第２の長尺平板の裏面に当接する前記脚を固定する
請求項３に記載のテーブル。
【請求項５】
前記長尺平板は矩形状をし、前記表段差部および前記裏段差部は前記長尺平板の短手方向の寸法を一辺とする平面視正方形状をしている
請求項３または４に記載のテーブル。
【請求項６】
前記平面視正方形状の前記表段差部および前記裏段差部の中央に、前記固定手段の貫通孔が形成されている
請求項５に記載のテーブル。
【請求項７】
前記第１の長尺平板の表段差部と、前記第２の長尺平板の裏段差部とを厚み方向に重ねると、前記第１の長尺平板の表面と前記第２の長尺平板の表面とが略面一となるように、前記表段差部及び前記裏段差部が構成されている
請求項１〜６のいずれか一項に記載のテーブル。
【請求項８】
前記各長尺平板は全て同一の大きさである
請求項１〜７のいずれか一項に記載のテーブル。
【請求項９】
前記テーブルは、前記天板の中央の開口に加熱手段を設置できる囲炉裏テーブルである
請求項１〜８のいずれか一項に記載のテーブル。
【請求項１０】
中央に開口を有するように少なくとも３枚の長尺平板が組み合わせてなる天板と、
前記天板に装着される少なくとも３本の脚と
を備え、
前記長尺平板は、表面を厚み方向に切り欠いた表段差部を長手方向の一端部に、裏面を厚み方向に切り欠いた裏段差部を長手方向の他端部にそれぞれ有し、
前記天板は、第１の長尺平板の表段差部と、第２の長尺平板の裏段差部とを厚み方向に重ねた状態で組み合わされているテーブル用の組立キットであって、
請求項１〜９のいずれか一項に記載の長尺平板及び脚を含むテーブル用の組立キット。